(57)【特許請求の範囲】
【請求項１】
用紙を手差しすることが可能な構成の給紙装置において、
移動されて用紙搬送路を手差し可能な状態にする手差し設定用部材と、手差し状態のときに前記手差し設定用部材を動作ロックさせて手差し状態を維持させるロック部材と、用紙搬送後における給紙装置構成部材の初期化設定動作を受けて、前記ロック部材による前記手差し設定用部材に対する動作ロックを解除させる解除部材とを備えた給紙装置であって、
前記給紙装置構成部材の初期化設定動作は、用紙搬送路において用紙を搬送する搬送ローラに対する回転駆動であり、かつ前記搬送ローラに、この搬送ローラの回転によって前記解除部材を回動させて前記ロック部材による前記手差し設定用部材に対する動作ロックを解除させるための作動部を設けたことを特徴とする給紙装置。
【請求項２】
前記解除部材は、前記用紙搬送路を構成する用紙ガイド板の移動動作を受けても、前記ロック部材による前記手差し設定用部材に対する動作ロックを解除させることを特徴とする請求項１記載の給紙装置。
【請求項３】
前記用紙搬送路に、用紙を１枚ずつ分離給紙するための搬送コロと、この搬送コロに接する接触部材からなる分離給紙部を設置し、前記手差し状態時に、前記搬送コロと前記接触部材において前記用紙搬送路に対して出入可能に設置されたものを、前記手差し設定用部材により他方に対して離す構成にしたことを特徴とする請求項１記載の給紙装置。
【発明の詳細な説明】
【０００１】
【発明の属する技術分野】
本発明は、ファクシミリ装置，複写機，プリンタなどの画像形成部あるいは原稿読取部に適用され、記録紙あるいは原稿などの用紙を所定方向へ給紙するための給紙装置に関するものである。
【０００２】
【従来の技術】
ファクシミリ装置などでは、原稿を原稿情報読取部へ給紙する給紙装置には、複数枚の原稿を１枚ずつ分離給紙するために、搬送コロと、この搬送コロに接する接触部材からなる分離給紙部が設置されているものがある。この分離給紙部は、通常、搬送コロの摩擦係数μ１と、接触部材の摩擦係数μ２と、原稿間の摩擦係数μ３との関係がμ１＞μ２＞μ３になるように設定され、原稿が搬送コロと接触部材間に重送されてきた場合、搬送コロの搬送力を受けて搬送コロ側の原稿のみが他の原稿に対して滑るようにして送られる構成になっている。
【０００３】
しかし、前記分離給紙部が備えられた給紙装置において、用紙に原稿が貼られているもの、あるいは給紙の際にストレスを与えたくない原稿などを給紙する場合には、それらの原稿に対して分離給紙部における分離給紙力を加えないようにするため、分離給紙部における搬送コロと接触部材間に間隙を形成して、原稿を１枚ずつ手差しにより給紙することを可能にした構成のものがある。
【０００４】
前記手差し給紙モードの設定および設定解除は、一般的に、例えば特開平５−４７６１号公報に記載されているように、手動操作によって行われている。
【０００５】
【発明が解決しようとする課題】
前記のように分離給紙部を具備し、かつ手差し給紙モードの設定が可能な従来の給紙装置では、手差し給紙モードの設定解除が手動によって行われるため、手差し作業が終了した後に、オペレータが手差し給紙モードの設定を解除せずに、給紙装置が搭載されている機器から離れてしまうと、次の作業に際して分離給紙機能を用いて複数枚の原稿を１枚ずつ給紙しようとしても、そのときのオペレータが設定状態に気が付いて設定を変えなければ、手差し給紙モードが設定されたままであるため、原稿が一度に送られてしまう不具合が生じることになる。
【０００６】
また手差し給紙モードが設定されているときに、機器，給紙装置に何らかのトラブルが発生した場合、そのトラブルを解除しても手差し給紙モードが自動的に解除されない構成であると、トラブル解除後の給紙において、手差し給紙モードによるトラブルが続いて発生してしまうことになる。
【０００７】
本発明の目的は、前記従来の課題を解決し、用紙を手差しすることが可能な構成を備えた給紙装置において、手差し状態の解除が確実になされ、オペレータによる手差し状態の解除忘れによる不具合の発生を防止することにある。
【０００８】
【課題を解決するための手段】
前記目的を達成するため、請求項１記載の本発明は、用紙を手差しすることが可能な構成の給紙装置において、移動されて用紙搬送路を手差し可能な状態にする手差し設定用部材と、手差し状態のときに前記手差し設定用部材を動作ロックさせて手差し状態を維持させるロック部材と、用紙搬送後における給紙装置構成部材の初期化設定動作を受けて、前記ロック部材による前記手差し設定用部材に対する動作ロックを解除させる解除部材とを備えた給紙装置であって、前記給紙装置構成部材の初期化設定動作は、用紙搬送路において用紙を搬送する搬送ローラに対する回転駆動であり、かつ前記搬送ローラに、この搬送ローラの回転によって前記解除部材を回動させて前記ロック部材による前記手差し設定用部材に対する動作ロックを解除させるための作動部を設けたことを特徴とし、この構成によって、用紙搬送路を手差し可能状態に設定し、かつ、その状態を維持する手差し設定部材は、給紙の初期化設定動作ごとに行われる搬送ローラに対する回転駆動により待機位置に戻されるため、手差し給紙が終了すると自動的に手差し状態を解除することができる。
【０００９】
請求項２記載の本発明は、請求項１記載の給紙装置において、解除部材は、用紙搬送路を構成する用紙ガイド板の移動動作を受けても、ロック部材による手差し設定用部材に対する動作ロックを解除させることを特徴とし、この構成によって、手差し設定部材は、手差しの際に用紙搬送路に発生したトラブルを解消するために用紙ガイド板を移動させると、それに連動して待機位置に戻されて手差し状態を解除されるため、手差し給紙による同じトラブルの再発を防止することができる。
【００１１】
請求項３記載の発明は、請求項１記載の給紙装置において、用紙搬送路に、用紙を１枚ずつ分離給紙するための搬送コロと、この搬送コロに接する接触部材からなる分離給紙部を設置し、手差し状態時に、搬送コロと接触部材において用紙搬送路に対して出入可能に設置されたものを、手差し設定用部材により他方に対して離す構成にしたことを特徴とし、この構成によって、手差し状態には用紙搬送路から、分離給紙部の用紙に対して負荷を与える部材を退避させることができ、手差し給紙を円滑に行うことができる。
【００１４】
【発明の実施の形態】
以下、本発明の好適な実施形態について図面を参照しながら説明する。
【００１５】
図１は本発明の実施形態を説明するための原稿読取装置における原稿搬送装置の側面断面図、図２は図１の原稿搬送装置における分離給紙部を示す側面断面図、図３は図１の原稿搬送装置における要部の平面図であり、１は装置本体、２，３は相対向して設置されて原稿の搬送ガイドを行う用紙ガイド板、４は用紙ガイド板２，３の一方の開口に設定された原稿セット口、５は用紙ガイド板２，３の他方の開口に設定された原稿排出口、６はピックアップローラ、７はピックアップローラ６にセットされた原稿を押圧する押圧板、８は、搬送コロ９と、図２に示す搬送コロ９に接する接触部材１０とからなる分離給紙部、１１，１２は原稿搬送ローラ対、１３は原稿搬送ローラ対１１，１２間に設置された原稿読取センサである。
【００１６】
図４は前記分離給紙部の分解図であり、分離給紙部８は、接触部材１０がゴム板材からなり、接触部材１０は、図２に示すように、上部の用紙ガイド板２における支持部２ａに回動可能に軸支された保持部材１４の下側に設けられ、搬送コロ９に接触している。また保持部材１４の左上部には、図３に示すように、コイルスプリング１５が延在し、コイルスプリング１５により保持部材１４を介して接触部材１０を搬送コロ９に接触する方向へ付勢している。
【００１７】
また１６は補助加圧コロ部材であって、上部が保持部材１４に軸部１６ａにて回動可能に支持されており、下端部に搬送コロ９に接触するコロ部１６ｂが回転可能に設けられている。コロ部１６ｂは、一端が補助加圧コロ部材１６の一部に係止し、かつ他端が保持部材１４に係止されている付勢スプリング１７によって搬送コロ９に圧接するように付勢されている。
【００１８】
原稿搬送ローラ対１１，１２において、それぞれ下部が駆動ローラ１１ａ，１２ａであって、また上部が駆動ローラ１１ａ，１２ａに従動し、かつ付勢手段によって駆動ローラ１１ａ，１２ａに接触するように付勢されている加圧ローラ１１ｂ，１２ｂであり、原稿搬送方向（矢印Ａ方向）の上流側の原稿搬送ローラ対１１は、図３に示すように、加圧ローラ１１ｂの回転軸１８の両端部が軸受１９にてそれぞれ支持され、さらに回転軸１８の両端部にて付勢手段の付勢用板ばね２０により駆動ローラ１１ａ側へ押圧付勢されている。
【００１９】
図１，図３において、２１は上部の用紙ガイド板２に摺動可能に設置された手差し設定用部材である手差しボタンであって、手差しボタン２１の操作ボタン部２１ａが装置本体１から外部に突出している。手差しボタン２１は、図３に示すように、戻しスプリング２２によって装置本体１の外側方向へ付勢されている。手差しボタン２１には、装置本体１内部において側方に突出する突出部２３が設けられ、この突出部２３に設けられた腕部２３ａが、分離給紙部８における保持部材１４を付勢しているコイルスプリング１５を押し上げることができるようになっている。
【００２０】
さらに、手差しボタン２１には、図１に示すように、突出部２３よりも突出する先端部分下側に係合凹部２４が形成されており、この係合凹部２４が用紙ガイド板２に回動可能に軸支されたロック部材である第１の回転アーム２５の一方の凸部２５ａに係合可能になっている。第１の回転アーム２５の他方の凸部２５ｂは、第１の回転アーム２５近傍に回動可能に軸支２６ｂされた解除部材である第２の回転アーム２６の一方端部２６ａと接触可能になっている。第２の回転アーム２６の他方には、図５，図６に示すように、加圧ローラ１１ｂの回転軸１８が貫通する通孔２７が形成され、かつ通孔２７近傍に作動突部２８が形成されている。この作動突部２８は、加圧ローラ１１ｂの一端側の回転軸１８に、図示しない一方向回転クラッチを介して設けられた作動部材である回転駆動部材２９の周囲に突設された複数の小突起２９ａの１つが当接するようになっている。
【００２１】
図１，図２は前記実施形態の構成において、分離給紙部８を用いて複数枚積載された原稿を１枚ずつ給紙させる自動給紙モードに設定されている状態を示しており、原稿セット口４に複数枚の原稿を挿入して給紙動作を開始させると、ピックアップローラ６が上昇しかつ回転する。すると、原稿は上側のものが押圧板７に押圧され、ピックアップローラ６側の下側の原稿から捌かれるようにして給紙される。
【００２２】
ピックアップローラ６から送られてきた原稿は分離給紙部８に達し、搬送コロ９の回転によって原稿搬送方向下流へ送られるが、分離給紙部８では、搬送コロ９の摩擦係数μ１と、接触部材１０の摩擦係数μ２と、原稿間の摩擦係数μ３との関係がμ１＞μ２＞μ３になるように設定されており、原稿が搬送コロ９と接触部材１０間に重送されてきた場合、搬送コロ９の搬送力を受けて搬送コロ９側の原稿のみが他の原稿に対して滑るようにして送られる。
【００２３】
このようにして分離給紙部８から１枚ずつ分離給紙された原稿は、原稿搬送方向Ｃの下流へ原稿搬送ローラ対１１，１２によって所定の速度でさらに搬送され、原稿読取センサ１３の読取位置を通過して原稿情報が読み取られ、装置本体１外部へと排紙される。
【００２４】
次に、本実施形態の装置において手差し給紙する場合を説明する。
【００２５】
手差し給紙を行うときに、操作ボタン部２１ａを押圧して、手差しボタン２１を戻しスプリング２２の付勢力に抗して装置本体１内方へ押し込むようにする。すると、図７に示すように、手差しボタン２１の突出部２３における腕部２３ａ先端がコイルスプリング１５の側部を押し上げて上昇させ、コイルスプリング１５の保持部材１４への付勢を解除する。このとき、補助加圧コロ部材１６は図２に示す付勢スプリング１７によりコロ部１６ｂが搬送コロ９に圧接している状態であるが、コイルスプリング１５の付勢力が解除された保持部材１４は、付勢スプリング１７の引張り力を受けて、支持部２ａを中心にして時計方向へ回動する。したがって、保持部材１４と共に接触部材１０が同方向へ回動し、搬送コロ９から離れて隙間Ｄを形成し、手差し原稿に対して分離給紙部８において負荷が加わらない状態になる。
【００２６】
手差しボタン２１の押し込み過程において、図８に示すように、手差しボタン２１の先端部分が第１の回転アーム２５における一方の凸部２５ａを乗り上げて、手差しボタン２１の係合凹部２４が第１の回転アーム２５における一方の凸部２５ａに係合して、手差しボタン２１の動作をロック状態にする。
【００２７】
このようにして原稿搬送路は手差し可能状態に設定され、１枚の原稿を原稿セット口４から挿入すると、原稿は、図７に示すように、搬送コロ９上において補助加圧コロ部材１６のコロ部１６ｂによって、接触部材１０による押圧力より弱い力で押圧されながら原稿搬送方向Ｃの下流へ送られ、さらに原稿搬送ローラ対１１，１２によって所定の速度でさらに搬送され、原稿読取センサ１３の読取位置を通過して原稿情報が読み取られ、装置本体１外部へと排紙される。
【００２８】
前記手差し給紙の設定の解除は、手差し給紙後における構成部材の初期化設定動作を受けて行われる。本実施形態では、イニシャライズ動作に際して原稿搬送方向の上流側の原稿搬送ローラ対１１が逆回転することを利用している。
【００２９】
すなわち、図９に示すように、原稿搬送ローラ対１１が逆転（矢印Ｅ方向）すると、加圧ローラ１１ｂの回転軸１８が同方向へ回動すると共に、一方向回転クラッチの作用にて回転駆動部材２９も共に同方向へ回動する。この回動により回転駆動部材２９の小突起２９ａの１つが、第２の回転アーム２６における作動突部２８に当接して、第２の回転アーム２６を反時計方向へ回動させる。第２の回転アーム２６の回動により、第２の回転アーム２６の一方端部２６ａが第１の回転アーム２５の凸部２５ｂを押して、第１の回転アーム２５を時計方向へ回動させ、これによって、第１の回転アーム２５の一方の凸部２５ａと、手差しボタン２１の係合凹部２４との係合が解除する。係合が解除された手差しボタン２１は、戻しスプリング２２によって装置本体１の外側方向へ移動し、操作ボタン部２１ａが待機位置に戻ることになる。
【００３０】
このように、手差し給紙が終了すると給紙部における手差し状態が自動的に解除されるため、オペレータが手差し給紙モードを解除することを忘れたことによる不具合の発生を未然に防ぐことができる。
【００３１】
本実施形態において、例えば、手差し給紙の途中において原稿搬送路中にジャムなどのトラブルが発生し、用紙ガイド板２，３間を開放させる必要がある場合にも、自動的に前記手差し給紙の設定が解除される。
【００３２】
すなわち、図１０において、上部の用紙ガイド板２を、原稿排出口５側における原稿搬送ローラ対１２の加圧ローラ１２ｂの回転支点を中心に反時計方向に回動させて移動し、ジャム紙を除去する等の給紙上のトラブルを解除させる際に、原稿搬送ローラ対１１の加圧ローラ１１ｂが上昇して駆動ローラ１１ａから離れる。このとき、回転軸１８は、図３に示す付勢用板ばね２０の付勢力を受けているため、図５に示す通孔２７の下側へ下降する。この下降によって第２の回転アーム２６が反時計方向に回動することになる。この回動により、前記と同様にして、第２の回転アーム２６の一方端部２６ａが第１の回転アーム２５の凸部２５ｂを押して、第１の回転アーム２５を時計方向へ回動させ、これによって、第１の回転アーム２５の一方の凸部２５ａと、手差しボタン２１の係合凹部２４との係合が解除する。係合が解除された手差しボタン２１は、戻しスプリング２２によって装置本体１の外側方向へ移動し、操作ボタン部２１ａが待機位置に戻る。
【００３３】
このように、手差しの際に原稿搬送路に発生したトラブルを解消するために用紙ガイド板２を移動させると、それに連動して手差しボタン２１が待機位置に戻されて手差し給紙モードが自動的に解除されるため、手差し給紙モードが設定されたままで、給紙が行われることによる同じトラブルの再発を防止することができる。
【００３４】
【発明の効果】
以上説明したように、本発明によれば、用紙搬送路を手差し給紙の可能状態に設定し、かつ、その状態を維持する手差し設定部材が給紙の初期化設定動作ごとに行われる搬送ローラに対する回転駆動により待機位置に戻され、手差し給紙が終了すると自動的に手差し給紙設定が解除されることになるため、オペレータが手差し給紙の設定を解除し忘れることによる不具合の発生を未然に防止することができる。
【００３５】
また、前記手差し設定部材を、手差し給紙の際に用紙搬送路に発生したトラブルを解消するために用紙ガイド板を移動させることに連動して、手差し設定部材を待機位置に戻すことができて手差し給紙の設定を自動的に解除することができるため、手差し給紙による同じトラブルの再発を防止することができる。
【図面の簡単な説明】
【図１】本発明の実施形態を説明するための原稿読取装置における原稿搬送装置の側面断面図
【図２】本発明の実施形態の原稿搬送装置における分離給紙部を示す側面断面図
【図３】本発明の実施形態の原稿搬送装置における要部の平面図
【図４】本発明の実施形態における分離給紙部の分解図
【図５】本発明の実施形態における第２の回転アーム部分の拡大側面図
【図６】本発明の実施形態における第２の回転アーム部分の分解図
【図７】本発明の実施形態における手差し給紙のときの分離給紙部の状態を示す側面断面図
【図８】本発明の実施形態における手差し給紙のときの手差しボタンの動作ロック状態を示す側面断面図
【図９】本発明の実施形態における手差し給紙の設定解除の状態を示す側面断面図
【図１０】本発明の実施形態における用紙ガイド板を移動したときの手差し給紙の設定解除の状態を示す側面断面図
【符号の説明】
２，３  用紙ガイド板
４  原稿セット口
５  原稿排出口
６  ピックアップローラ
８  分離給紙部
９  搬送コロ
１０  接触部材
１１，１２  原稿搬送ローラ対
１１ａ，１２ａ  駆動ローラ
１１ｂ，１２ｂ  加圧ローラ
２１  手差しボタン
２１ａ  操作ボタン部
２４  係合凹部
２５  第１の回転アーム
２６  第２の回転アーム
【図１】
0003822414.tif 000002
【図２】
0003822414.tif 000003
【図３】
0003822414.tif 000004
【図４】
0003822414.tif 000005
【図５】
0003822414.tif 000006
【図６】
0003822414.tif 000007
【図７】
0003822414.tif 000008
【図８】
0003822414.tif 000009
【図９】
0003822414.tif 000010
【図１０】
0003822414.tif 000011